(57)【特許請求の範囲】
【請求項１】
交換接続網と少なくとも１つの網（ＰＯＴＳ、ＩＳＤＮ、ＡＤＳＬ、ＨＤＳＬ）へのアクセスのため多数の通信チャンネルとの通信を行なう多数のアクセスユニットとを具備しており、上記交換接続網がチャンネル伝送制御のための多数の伝送制御構成体（２A〜２D；２’A〜２’D）と多数の第１の交換接続構成体（３A〜３D；３’A〜３’D）と多数のアクセスユニットに対して共通の少なくとも１つの中央交換接続構成体（５A、５B；５’）とを具備した通信交換接続システムにおいて、前記伝送制御構成体（２A〜２D；２’A〜２’D）およびそれに接続した交換接続構成体（３A〜３D；３’A〜３’D）が多数の結合伝送制御交換接続構成体（４A〜４D；４’A〜４’D）を形成するように構成され、共通保護交換接続構成体（６；６’）がアクセスユニット（１A1、１B1、１A2、１B2；１’A1、１’B1、１’A2、１’B2）および伝送制御交換接続構成体（４A〜４D；４’A〜４’D）間並びにアクセスユニット（１A1、１B1、１A2、１B2；１’A1、１’B1、１’A2、１’B2）および前記網間で保護交換接続を与えるように構成されたことを特徴とする通信交換接続システム。
【請求項２】
請求の範囲第１項によるシステムにおいて、上記アクセスユニット（１A1、１B1、１A2、１B2；１’A1、１’B1、１’A2、１’B2）への制御信号の付与が上記共通保護交換接続構成体（６；６’）を介して行なわれるようにしたことを特徴とするシステム。
【請求項３】
請求の範囲第１項によるシステムにおいて、上記伝送制御構成体による上記アクセスユニットへの電力供給が上記共通保護交換接続構成体（６；６’）を介して行なわれるようにしたことを特徴とするシステム。
【請求項４】
請求の範囲第１項によるシステムにおいて、上記中央交換接続構成体（５A、５B）は分配交換接続構成体であることを特徴とするシステム。
【請求項５】
請求の範囲第１〜４項のいずれかによるシステムにおいて、上記中央交換接続構成体（５A、５B；５’）の保護交換接続のため第２の保護交換接続構成体（７）が設けられたことを特徴とするシステム。
【請求項６】
請求の範囲第５項によるシステムにおいて、上記第２の保護交換接続構成体（７）は上記結合伝送制御交換接続構成体（４A〜４D；４’A〜４’D）および上記中央交換接続構成体（５A、５B）間に配置されたことを特徴とするシステム。
【請求項７】
請求の範囲第１項によるシステムにおいて、少なくとも、多数の上記第１の交換接続構成体（３A〜３D；３’A〜３’D）は時間スイッチすなわち時間スイッチモジュール（ＴＳＭ）からなることを特徴とするシステム。
【請求項８】
請求の範囲第７項によるシステムにおいて、上記中央交換接続構成体は時間スイッチモジュール（ＴＳＭ0）からなることを特徴とするシステム。
【請求項９】
請求の範囲第７または８項によるシステムにおいて、上記中央交換接続構成体（５A、５B；５’）は空間スイッチモジュール（ＳＰＭ）からなることを特徴とするシステム。
【請求項１０】
請求の範囲第８または９項によるシステムにおいて、上記中央交換接続構成体は時間および空間スイッチそれぞれの任意の組合せからなることを特徴とするシステム。
【請求項１１】
請求の範囲第７項によるシステムにおいて、前記伝送制御構成体は伝送制御側を有し、上記中央交換接続構成体（５’）は、対応する時間スイッチからなる上記結合伝送制御交換接続構成体が前記伝送制御側で上記共通保護交換接続構成体（６；６’）によりさらに交換接続を与えるように上記中央交換接続構成体に接続する時間スイッチ（３’A〜３’D）によって制御されるようにしたことを特徴とするシステム。
【請求項１２】
請求の範囲第１項によるシステムにおいて、１つあるいはそれ以上の上記保護交換接続構成体（６；６’）の任意のものに接続される付加装置（８A、８B；８’A、８’B）に対して保護交換接続が与えられるようにしたことを特徴とするシステム。
【請求項１３】
請求の範囲第１項によるシステムにおいて、保護交換接続構成体（６、７；６’）は、確立された接続に影響を与えずに、かつ伝送速度についての同じ要件が上記交換接続システムの実質的に全体にわたって維持されるように実質的に同じ態様で多数のレベルで導入されることを特徴とするシステム。
【請求項１４】
請求の範囲第１項によるシステムにおいて、上記アクセッシング網が１つあるいはそれ以上の例えばＰＯＴＳ、ＩＳＤＮであることを特徴とするシステム。
【請求項１５】
請求の範囲第１〜１４項のいずれかによるシステムにおいて、アクセスが１つあるいはそれ以上の非対称型加入者線デジタル伝送方式（ＡＤＳＬ）あるいは高速加入者線デジタル伝送方式（ＨＤＳＬ）に対して与えられるようにしたことを特徴とするシステム。
【請求項１６】
交換接続網と多数のアクセスユニットとを具備しており、上記交換接続網が伝送制御、交換接続等のための、少なくとも、多数の構成体を具備した通信交換接続システムにおいて、多数の伝送制御構成体（２A〜２D；２’A〜２’D）と上記それぞれの伝送制御構成体に接続し、特に時間スイッチが、間に高速インターフェースが設けられている多数の交換接続構成体（３A〜３D；３’A〜３’D）とは多数の結合構成体（４A〜４D；４’A〜４’D）を形成するように共に組み立てられ、これら結合構成体は多数のこれら結合構成体（４A〜４D；４’A〜４’D）のための少なくとも所定のレベルで共通保護交換接続構成体として働く保護交換接続構成体（６；６’）により冗長を与えられるようになっており、上記共通保護交換接続構成体（６；６’）は、それが多数の上記アクセスユニット（１A1、１B1、１A2、１B2；１’A1、１’B1、１’A2、１’B2）のための保護スイッチとして同様働くように構成されたことを特徴とする通信交換接続システム。
【請求項１７】
請求の範囲第１６項によるシステムにおいて、ｍ＋ｎ冗長がシステム全体にわたって与えられることを特徴とするシステム。
【請求項１８】
請求の範囲第１６〜１７項のいずれかによるシステムにおいて、上記交換接続網は少なくとも１つの中央分配交換接続構成体（５A、５B；５’）を具備しており、多数の時間スイッチが上記交換接続構成体に接続し、これらのそれぞれは結合構成体（４A〜４D；４’A〜４’D）に含まれており、上記分配交換接続構成体（５A、５B；５’）のための保護交換接続は機能を有する時間スイッチによる上記分配交換接続構成体の制御を介して上記それぞれの結合構成体の上記共通交換接続保護構成体（６；６’）によって与えられるようにしたことを特徴とするシステム。
【請求項１９】
多数のアクセスユニット（１A1、１B1、１A2、１B2；１’A1、１’B1、１’A2、１’B2）と伝送制御構成体（２A〜２D；２’A〜２’D）と少なくとも１つの中央交換接続構成体（５A、５B；５’）を含んだ交換接続構成体（３A〜３D；３’A〜３’D）とを具備した通信網アクセスを与えるアクセスシステムにおいて、少なくとも、多数の伝送制御構成体およびそれに接続された交換接続構成体が多数の結合伝送制御交換接続構成体（４A〜４D；４’A〜４’D）に結合されており、共通保護交換接続構成体（６；６’）が上記結合ユニットの伝送制御側に設けられており、上記アクセスユニットを更に上記共通保護交換接続構成体（６；６’）に接続して、同一の保護交換接続構成体（６；６’）により上記結合伝送制御および交換接続構成体（４A〜４D；４’A〜４’D）と上記アクセスユニットとの間並びにアクセッシング網方向の上記アクセスユニットに対して保護交換接続が与えられるようにしたことを特徴とするアクセスシステム。
【請求項２０】
請求の範囲第１９項によるアクセスシステムにおいて、上記結合ユニット（４A〜４D）および上記中央交換接続構成体（５A、５B）間にこの中央交換接続構成体（５A、５B）のための個別の第２の保護交換接続構成体（７）が設けられたことを特徴とするアクセスシステム。
【請求項２１】
請求の範囲第１９項によるアクセスシステムにおいて、上記中央交換接続構成体（５’）は上記交換接続構成体の、機能を有する時間スイッチ構成体によって制御されて、上記中央交換接続構成体（５’）にも、伝送制御側での保護交換接続による共通保護交換接続構成体（６’）が設けられたことを特徴とするアクセスシステム。
【請求項２２】
請求の範囲第２１項によるアクセスシステムにおいて、上記中央交換接続構成体（５A、５B；５’）は空間スイッチからなることを特徴とするアクセスシステム。
【請求項２３】
電気通信システムの交換接続システムで冗長を与える方法であって、上記交換接続システムが多数のアクセスユニットと多数の交換接続構成体とを具備するようにした方法において、
−少なくとも、多数の伝送制御構成体を、それに接続する例えば時間スイッチのような多数の交換接続構成体と、多数の結合ユニットとなるように相互接続するステップと、
−これら結合ユニットおよびアクセスユニットの両方に対して保護交換接続を与える共通保護交換接続構成体をシステムを通してどこに配置するかに拘らず保護交換接続体の異なったレベルのシステムを提供して、結合ユニットおよびアクセスユニット間で並びにアクセッシング網に向う方向で保護交換接続が上記共通保護交換接続構成体により１つの同じ態様で取り扱われるようにするステップと、を具備した方法。
【請求項２４】
請求の範囲第２３項による方法において、
分配交換接続構成体のような中央交換接続構成体を、この分配交換接続構成体内の交換接続機能を有する時間スイッチ伝送制御ユニットから制御して、上記共通保護交換接続構成体により上記分配交換接続構成体のための保護交換接続が与えられるようにするステップを具備したことを特徴とする方法。
【発明の詳細な説明】
技術分野
本発明は、冗長が与えられる通信交換接続（ｓｗｉｔｃｈｉｎｇ）システム並びに交換接続システムにおいて冗長を与える方法に関する。
本発明は、また、冗長が与えられるアクセルシステムに関する。
当該技術の現状
今日知られている殆どのシステムにおいて、例えば、冗長で何が与えられなければならないかあるいはシステムのどこに冗長が与えられなければならないかにより、システムの種々の部分に種々の態様で冗長が与えられている。一般的に、通信システムにおいては、中央ハードウェアは二重化（あるいは三重化さえも）されている。例えば、動作ユニットが適切には動作し得なくなってしまうまであるいは誤差が検出される等の場合に（この場合に、待機ユニットの１つに切替が行なわれる）、１つのプロセッサが能動状態、他の１つあるいはそれ以上のプロセッサが受動状態となっているマルチプロセッサ構成体が使用されている。しかしながら、交換接続システムの中央部分から一層遠く離れると、冗長は希にしか与えられず、特にアクセスユニットにはどのような種類の冗長も一切設けられていない。しかしながら、中央部分から多かれ少なかれ離れた構成体の二重化をコスト的な問題にしてしまうことは種々のシステムから知られているところである。しかしながら、装置の二重化はコストをかなり増大させるところから、冗長は、往々、制限されて程度で、すなわちシステムのより中央部分に限って与えられるに過ぎない。
ＵＳ−Ａ−４  ９８３  ９６１は３段の非ブロッキング交換接続アレイを示している。その入力／出力段のサブアレイの入力／出力数は交換接続されるべき線数の２倍とされており、非ブロッキング交換接続アレイを与えるために最小限必要なものよりもう１つ多いサブアレイが中間段に存在する。付加入力／出力が非冗長入力／出力と接続されて、各冗長入力が同じ段のそれぞれ他のサブアレイの非冗長入力に接続されるようになっている。サブアレイの一つに障害が生じると、冗長置換部分が働くようになる。
ＵＳ−Ａ−５  ４０８  ４６２は電気通信信号を処理および／または交換接続する多数の電気通信モジュールを具備する保護交換接続システムを開示している。第１のモジュールによって１対のモジュールに信号が与えられ、この際にモジュールの上記対はモジュールの別の対に接続されており、その場合モジュールの各対は動作および待機モジュールからなっている。待機モジュールはその待機モジュールが起動される場合に交替を必要とするシステムの全てのモジュールの交換接続を制御し、制御器モニタ回路が動作モジュールの障害を検出するために設けられ、障害の場合に、対応する待機モジュールに通知され、これは次いで保護交換接続を与える。
しかしながら、待機装置を起動する時にデータを可変量失う危険があるということで、今日既知の構成体のどれもが満足に働かず、複雑で、コスト高の構成となってしまうが、システム全体にわたって、すなわちシステムの全ての部分に冗長を与えることは行なわれておらず、このことはある部分が全体的に保護されないことを意味し、切実な問題を与えることとなる。
発明の概要
電子分野内での技術的発達のため、集積回路のパッキング密度は連続して増大している。それは関連する機能とか、機能性に該当し、更に１つの同一の物理的構成要素、例えば回路基板にパッキングされ得る所定の種類の機能性の数に該当する。この結果は、このような１つのユニットの誤動作の場合に影響されるユーザあるいは関連するシステムの数が対応して増大してしまうことである。これら問題点に対する解決策を見い出すためには、技術的に使用される必要があるために与えられるものよりもより小さい物理的ユニットあるいは冗長が１つあるいは他の態様で与えられなければならない。
一般的に、技術的進歩を利用することに、かつできるだけ小型の物理的装置を用いることができるようにして努力していることがら、冗長を与えることをできるようにする解決法が好ましいことが明かである。
通信システムにおいて、アクセス点からあるいはアクセス側からシステムの中心部分に向う方向のトラフィック量は連続して増大しており、このことは多数の異なった位置で冗長の必要性があることを意味する。
この結果、必要なものは、冗長が簡単にかつ高信頼性の態様で、かつ低コストで与えることができる交換接続システムである。
中央部分からより離れた部分にも冗長を与えることができるシステムも、また、必要である。
高いあるいは極めて高いパッキング密度を有する物理的ユニットの使用を可能とし、その際に、依然として、このようなユニットの障害の場合の影響を極めて低く、あるいはより低いパッキング密度を有する物理的ユニットに比較してより低く留めるか、もしくは物理的にユニットが大きくてそのパッキング密度が小さいため多数のユーザ、装置等に影響を及ぼさない場合に冗長を与える必要性が低くともパッキング密度が大きいかあるいは小さいかに一般的に無関係にするシステムも同様必要である。
簡単、高信頼の態様でかつ低コストで冗長を与えることができ、また、特に中央部分から遠く離れた装置がこのような態様で冗長を与えられることができるような方法も必要である。
従って、交換接続網と多数のアクセスユニットとを具備する通信交換接続システムが与えられ、ここで、交換接続網に含まれる、少なくとも、多数の伝送制および交換接続構成体が多数の結合伝送制御交換接続構成体を形成するように構成され、かつ共通保護交換接続構成体がアクセスユニットおよび伝送制御交換接続構成体間並びにアクセスユニットおよび上記アクセスユニットをアクセスする網間の両方で保護交換接続を与えるように構成される。
ある特定の実施例において、アクセスユニットへの制御信号の付与は保護交換接続構成体を介して行なわれ、また特に伝送制御構成体によるアクセスユニットへの電力供給は保護交換接続構成体を介して行なわれる。交換接続網は多数の第１の交換接続構成体と多数のアクセスユニット、特に交換接続システムの全てのアクセスユニットに共通である少なくとも一つの中央交換接続構成体とを具備しており、ここで、中央交換接続構成体は分配交換接続構成体であり、これを介して全てのアクセスユニットへの全ての接続が全ての他の接続に及ぶことができる。
一実施例によれば、中央交換接続構成体の保護交換接続を行なうための第２の保護交換接続構成体が設けられる。その際、この交換接続構成体は結合伝送制御交換接続構成体および中央交換接続構成体関に配置されることができる。一般的に、追加の保護交換接続構造体は個別に保護されるある交換接続構造体に続く連続したものとして配置され得る。
一実施例によれば、それぞれの伝送制御構成体と結合された第１の交換接続構成体は時間スイッチからなり、中央交換接続構成体も同様時間スイッチからなってもよく、あるいは空間スイッチもしくはその任意の組合せであってもよい。
１つの有利な実施例において、中央交換接続構成体の個別の保護交換接続を与える代わりに、中央交換接続構成体は、対応する時間スイッチを具備した結合伝送制御交換接続構造体が共通保護交換接続構造体を介して伝送制御側で保護交換接続により冗長を与えるように中央交換接続構成体に接続した多数の時間スイッチ（第１の交換接続構造体）により制御される。
他の有利な実施例において、ここで、同一の態様でかつ結合伝送制御交換接続構成体と同じ側で共通保護交換接続構造体に接続された追加の装置に対して保護交換接続が同様与えられる。別態様として、追加の装置は類似の態様で任意の第２の保護交換接続装置に接続されることができる。
特に、保護交換接続構成体は、確立された接続に影響を与えずに、かつ伝送速度についての同じ要件が上記交換接続システムの実質的に全体にわたって維持されることができるように実質的に同じ態様で多数のレベルで導入され、このため全体のシステムはレベルに拘らず１つの同じ態様で保護されるようになる。
アクセス、とりわけ、１つあるいはそれ以上のＰＯＴＳ、ＩＳＤＮ、非対称型加入者線デジタル伝送方式（ＡＤＳＬ）あるいは高速加入者線デジタル伝送方式（ＨＤＳＬ）に対して与えられることができる。
また、交換接続網と多数のアクセスユニットとを具備した通信交換接続システムが与えられ、ここで、交換接続網は伝送制御、交換接続等のための多数の構成体を具備しており、間に高速インターフェースが存在するこれら構成体は共通保護交換接続構成体によって冗長を与えられる結合構成体を形成するように互いに組み立てられる。特に、多数の伝送制御構成体は、特に時間スイッチである多数の交換接続構成体と共に組み立てられ、共通保護交換接続構成体は、それがアクセスユニットのための保護スイッチとして同様働くように構成される。有利なことに、システム全体にわたってｍ＋ｎの冗長が与えられ、ここでｍは動作構成体を表し、ｎは冗長構成体を表す。
特に、交換接続網は少なくとも１つの中央分配交換接続構成体を具備しており、多数の時間スイッチが中央交換接続構成体に接続し、それぞれの結合伝送制御交換接続構成体の上記共通交換接続保護構成体により分配交換接続構造体に保護交換接続が与えられる。
また、通信網アクセスを与えるアクセスシステムが提供され、これは多数のアクセスユニットと伝送制御構成体と１つが中央交換接続構成体である交換接続構成体とを具備する。少なくとも、多数の伝送制御構成体およびそれに接続された交換接続構成体は多数の伝送制御交換接続構成体（ユニット）に結合されており、共通保護交換接続構成体は多数のこれら結合ユニットのために少なくとも設けられており、それは上記ユニットの伝送制御側に配置されている。アクセスユニットを更に共通保護交換接続構成体に接続して、同一の態様でかつ同一の保護交換接続構成体により伝送制御構造体およびアクセスユニットそれぞれ間並びに上記アクセスユニットおよびアクセッシング網等間の両方で保護交換接続が与えられる。アクセスシステムは中央交換接続構成体のための個別の第２の保護交換接続構成体を設けてもよい。別態様として、中央交換接続構成体は交換接続構成体（結合ユニットの）の、機能を有する時間スイッチ構成体によって制御されて、結合ユニットの伝送制御側で保護交換接続により分配交換接続構成体のための保護交換接続が同様行なわれる。特に、中央交換接続構成体は空間スイッチからなる。別態様として、それは時間および空間スイッチの組合せからなる。
この欄の初めで言及したと同じ理由のため、電気通信システムの交換接続システムにおいて冗長を与える方法が提供される。この交換接続システムは多数のアクセスユニットと多数の交換接続構成体とを具備する。この方法は、高伝送速度インターフェースである他の構成体へのインターフェースを有する交換接続システムのこれら構成体の少なくてもあるものを結合ユニットに共に組み立てるステップと、例えば交換接続システムの中央構成体もしくはアクセスユニットあるいはそれらの間の何かの保護のためどのレベルかに拘らず１つの同じ態様でシステムの種々のレベルで保護交換接続構造体を導入して、伝送速度についての要件がシステム全体にわたって同じになるようにするステップとを具備する。有利な態様として、少なくとも、多数の伝送制御構成体は高速インターフェースでそれらに接続する多数の交換接続構造体とそれぞれ結合され、そこにおいて交換接続構成体は例えば時間スイッチからなり、そのためそれらは共通ユニットを形成し、更にまたこれら結合ユニットのための共通保護交換接続構成体を構成し、これはこれら結合ユニットおよび多数のアクセスユニットの両方のための保護交換接続を与えて、伝送制御構成体およびアクセスユニット間並びにアクセッシング網に向う方向の両方において１つの同じ態様で保護交換接続が共通保護交換接続構成体により取り扱われるようにする。
ある有利な実施例において、分配交換接続構成のようなシステムの中央交換接続構成は分配交換接続構成における交換接続を有する結合伝送制御時間スイッチユニットからなされ、そのため分配交換接続構成体に対する保護交換接続は共通保護交換接続によって同様に与えられる。
【図面の簡単な説明】
本発明は次の添付図面を参照して非限定的な態様で以下に更に記載される。
図１は、冗長を除いた交換接続システムを示す。
図２は、図１のものと同様であるが冗長を備えている交換接続システムの第１の実施例を示す。
図３は、本発明に従った冗長を備えた交換接続システムの第２の実施例を示す。
発明の詳細な説明
図１は電気通信システムの交換接続システムを極めて概略的な態様で示す。図１においては、説明上の理由で、冗長を与えることについては含まれていない。しかしながら、例えばアクセスに関する次のことが本発明により保護されるシステムに関連するということを明白にする必要がある。制御構成体も同様含まれていない。アクセスユニット１Aおよび１Bを介して、アクセスが、例えば、ＰＯＴＳ（普通の電話サービス）、ＩＳＤＮ（サービス総合デジタル網）、ＡＤＳＬ（非対称型加入者線デジタル伝送方式）、ＨＤＳＬ（高速加入者線デジタル伝送方式）等に対して与えられることができる。勿論、多数の他のアクセスも同様可能である。伝送制御装置（ｍｕｌｔｉｐｌｅｘｅｒ：ＭＵＸ）２01、２02からなる伝送システムも、また、例えば２Ｍｂｐｓ、３４Ｍｂｐｓ、ＳＴＭ−１等のような種々の形式のものにすることができる。デジタルシステムは１つあるいはそれ以上のレベルで多数の時間スイッチＴＳＭ01、ＴＳＭ02を具備し、これら時間スイッチは図示の例で空間スイッチすなわち空間スイッチモジュールＳＰＭ0に接続する。これは空間スイッチである必要がなく、同様時間スイッチにすることができる。しかしながら、この交換接続システムのどこかに、物理的に見えるどれもがどれかに連結するような特定の点が存在することが必要である。この中央交換接続構成体５0は交換接続システムの分配点であり、トラフィック量はアクセス側からシステムのこの中央部分に向って連続的に増加している。この際にシステムの多数の異なった位置で冗長が必要とされ、例えば回路基板といった物理的ユニットのパッキング密度が高くなればなるほど、中央部分すなわち分配点からより一層遠く離れるほど冗長の必要性は大きくなる。アクセスユニットにさえも、冗長が必要となる場合がある。
図２は本発明による第１の実施例を示す。多数の伝送制御ユニットＭＵＸ２A、２B、２C、２Dはそれぞれ各第１の交換接続構成体３A、３B、３C、３Dと特に結合されており、これはそれぞれの伝送制御装置と第１の交換接続構成体との間のインターフェースが高速伝送インターフェースだからである。第１の交換接続構成体３A〜３Dは時間スイッチすなわち時間スイッチモジュール（ＴＳＭ）である。これらの結合ユニット４A〜４Dは共通保護交換接続構成体６に向って接続された伝送制御側にある。結合ユニットは、多くの異なった態様で、例えば、Ｇ．７０３あるいはＧ．７０４（ＩＴＵ−Ｔ、国際電気通信連合）のような標準２Ｍｂｐｓインターフェースを介して互いに組み立てられ得る。
アクセスユニット１A1、１B1および１A2、１B2は、それぞれ、保護交換接続構成体６が一つの同一の態様で網に向う保護並びにアクセスユニットおよび伝送制御装置間の保護の両方を取り扱う共通保護スイッチを形成するような態様で同一の保護交換接続構成体６に向って同様接続あるいは組み立てられている。網およびアクセスユニットのための伝送制御構成体は、このようにして、冗長ユニットの共通のプールを形成する。都合の良いことに、伝送制御構成体からアクセスユニットへの電力供給は同様冗長電力供給を与えるために保護交換接続構成体６を介して行なわれる。ある有利な実施例において、補助装置８Aもまた冗長８Bと共に同一の共通保護交換接続構成体６に接続して設けられることができる。更にまた、アクセスユニットへの制御信号の供給が保護交換接続構成体６を介して行なわれる。しかしながら、図２に示された実施例においては、中央交換接続構成体、例えば分配交換接続構成体がここでは２つの分配交換接続構成体５A、５B間の交換接続により冗長を与えるために個別の保護交換接続構成体７を設けている。分配交換接続構成体５はここでは空間スイッチすなわち空間スイッチモジュールＳＰＭであるものと想定されている。しかしながら、他の実施例によれば、それはまた時間スイッチとされることができ、あるいはそれは時間スイッチと空間スイッチとの何等かの組合せによって形成されることができる。
保護交換接続構成体はその通常状態において受動的であり、これは共通部分の障害が確立した接続に影響しないことを意味する。
図３には別態様の実施例が図示されている。この実施例は一般的に図２の実施例に対応するが、例えば空間スイッチである中央すなわち分配交換接続構成体のための個別の保護交換接続構成体が不用であるという本質的な相違がある。
空間スイッチ５’は、ここでは、それを持つ構成体によって制御され、それによって交換接続が所望される第１の交換接続構成体（およびそれが結合される伝送制御構成体）が理解され、この際に空間スイッチ５’はそれを有する結合ユニット４’A〜４’Dによる冗長を間接的に設けており、伝送制御側での共通の保護構成体６’により転換（ｓｈｉｆｔｉｎｇ）が行なわれる。これは、空間スイッチモジュール５’が結合伝送制御交換接続モジュール４’A〜Dで制御され、また電力が供給され、ここに障害が生じる場合には伝送および／または受信結合伝送制御交換接続モジュール４’が切り替えられること交換接続をされることを意味する。これは、伝送制御構成体および対応する時間スイッチすなわち第１の交換接続構成体が共通保護交換接続構成体により全体的に置き換えられることを意味する。従って、共通保護交換接続構成体はそれに接続される交換接続システムの構成体の全てに対して同一の態様で動作する。結合ユニットおよび分配交換接続構成体の全ての接続線は保護交換接続構成体により影響されるような他の構成体の全てに接続している。同様それに接続されることができる補助装置は、実際的には、例えば試験装置、発声機、二重トーン多周波数ダイアリング装置等のような任意のものにし得る。
このように、本発明を持ってすれば、ｍ＋ｎの冗長が交換接続システム全体にわたって与えられることができ、ここでｍは動作構成体に関連し、ｎは冗長構成体に関連する。ある特定の実施例において、二重化が与えられるが、特にｎは１からそれ以上の任意の数にすることができる。
勿論、本発明は図示の実施例には限定されず、請求の範囲内で多数の態様で変えられることができる。
【図１】
0003795082.tif 000002
【図２】
0003795082.tif 000003
【図３】
0003795082.tif 000004